(57)【要約】【課題】開封後も持ち運びが容易で且つ内容物の保存性が高い蓋付きカップ容器を提供する。【解決手段】底壁１１と周壁１２とを備えたカップ形状を有する合成樹脂製の容器本体１と、容器本体１に着脱自在に保持されて容器本体１の開口１３を閉塞する合成樹脂製の中蓋２０と、を有し、容器本体１が酸素バリア性を有し、中蓋２０が、酸素吸収性を有する材料が混合された合成樹脂材料により形成されていることを特徴とする蓋付きカップ容器１。【選択図】図１
2018172169.tif 000002
【特許請求の範囲】
【請求項１】
底壁と周壁とを備えたカップ形状を有する合成樹脂製の容器本体と、
前記容器本体に着脱自在に保持されて該容器本体の開口を閉塞する合成樹脂製の中蓋と、を有し、
前記容器本体が酸素バリア性を有し、
前記中蓋が、酸素吸収性を有する材料が混合された合成樹脂材料により形成されて酸素吸収性を有することを特徴とする蓋付きカップ容器。
【請求項２】
前記中蓋がフランジ部を有し、該フランジ部が前記容器本体に形成された段差面に配置されるとともに前記容器本体に設けられた係止突起にアンダーカット係合することにより、前記中蓋が前記容器本体に着脱自在に保持されている、請求項１に記載の蓋付きカップ容器。
【請求項３】
酸素バリア性を有するシート状に形成され、前記容器本体の開口端に固着されて前記容器本体の開口を密封する外蓋をさらに備える、請求項１または２に記載の蓋付きカップ容器。
【請求項４】
前記中蓋と前記容器本体との間に、前記中蓋を前記容器本体に固着させて該容器本体の開口を密封する固着部が設けられている、請求項１または２に記載の蓋付きカップ容器。
【請求項５】
前記固着部が、前記中蓋を、接着または融着により前記容器本体に固着させるものである、請求項４に記載の蓋付きカップ容器。
【請求項６】
前記固着部が、前記容器本体の開口端と前記中蓋のフランジ部とに跨る環状に形成されて、前記容器本体の開口端と前記フランジ部とに全周に亘って貼り付けられるシール材である、請求項４に記載の蓋付きカップ容器。
【請求項７】
前記中蓋が、収容部を備えた有底円筒状に形成されている、請求項１〜６の何れか１項に記載の蓋付きカップ容器。
【請求項８】
前記中蓋が、上方に向けて突出する摘み部を備えている、請求項１〜７の何れか１項に記載の蓋付きカップ容器。
【請求項９】
前記容器本体に装着されて前記外蓋を覆うオーバーキャップをさらに有する、請求項１〜８の何れか１項に記載の蓋付きカップ容器。
【発明の詳細な説明】
【技術分野】
【０００１】
本発明は、底壁と周壁とを備えたカップ形状を有する容器本体と、容器本体の開口を閉塞する蓋とを備えた蓋付きカップ容器に関する。
【背景技術】
【０００２】
従来、スナック菓子やカップスープなどの食品等を内容物として収容する蓋付きカップ容器として、紙基材により底壁と周壁とを備えたカップ形状に形成された容器本体（紙カップ）と、紙基材によりシート状に形成され、容器本体の開口端に接着等の手段によって固着されることで容器本体の開口を密封する蓋とを備えたものが知られている。
【０００３】
このような蓋付きカップ容器では、内容物の酸化等による劣化を抑制するために、容器本体及び蓋の内面にアルミニウム層を設けて酸素に対するバリア性を高めた構成とされるのが一般的である（例えば特許文献１参照）。
【先行技術文献】
【特許文献】
【０００４】
【特許文献１】特開２００４−１１５１１７号公報
【発明の概要】
【発明が解決しようとする課題】
【０００５】
しかし、上記従来の蓋付きカップ容器では、容器本体の開口端に接着等の手段によって蓋を固着することで当該容器本体を密封するようにしているので、一旦、蓋を容器本体から引き剥がして開封すると、蓋によって容器本体を再度密封することはできない。そのため、開封後、内容物が残った状態において、内容物の劣化を抑制することができなくなるという問題点があった。
【０００６】
本発明は、このような課題に鑑みてなされたものであり、その目的は、開封後も容器本体を容易に閉塞することができ且つ内容物の保存性が高い蓋付きカップ容器を提供することにある。
【課題を解決するための手段】
【０００７】
本発明の蓋付きカップ容器は、底壁と周壁とを備えたカップ形状を有する合成樹脂製の容器本体と、前記容器本体に着脱自在に保持されて該容器本体の開口を閉塞する合成樹脂製の中蓋と、を有し、前記容器本体が酸素バリア性を有し、前記中蓋が、酸素吸収性を有する材料が混合された合成樹脂材料により形成されて酸素吸収性を有することを特徴とする。
【０００８】
本発明の蓋付きカップ容器は、上記構成において、前記中蓋がフランジ部を有し、該フランジ部が前記容器本体に形成された段差面に配置されるとともに前記容器本体に設けられた係止突起にアンダーカット係合することにより、前記中蓋が前記容器本体に着脱自在に保持されている構成とすることができる。
【０００９】
本発明の蓋付きカップ容器は、上記構成において、酸素バリア性を有するシート状に形成され、前記容器本体の開口端に固着されて前記容器本体の開口を密封する外蓋をさらに備える構成とすることができる。
【００１０】
本発明の蓋付きカップ容器は、上記構成において、前記中蓋と前記容器本体との間に、前記中蓋を前記容器本体に固着させて該容器本体の開口を密封する固着部が設けられている構成とすることができる。
【００１１】
本発明の蓋付きカップ容器は、上記構成において、前記固着部が、前記中蓋を、接着または融着により前記容器本体に固着させるものである構成とすることができる。
【００１２】
本発明の蓋付きカップ容器は、上記構成において、前記固着部が、前記容器本体の開口端と前記中蓋のフランジ部とに跨る環状に形成されて、前記容器本体の開口端と前記フランジ部とに全周に亘って貼り付けられるシール材である構成とすることができる。
【００１３】
本発明の蓋付きカップ容器は、上記構成において、前記中蓋が、収容部を備えた有底円筒状に形成されている構成とすることができる。
【００１４】
本発明の蓋付きカップ容器は、上記構成において、前記中蓋が、上方に向けて突出する摘み部を備えている構成とすることができる。
【００１５】
本発明の蓋付きカップ容器は、上記構成において、前記容器本体に装着されて前記外蓋を覆うオーバーキャップをさらに有する構成とすることができる。
【発明の効果】
【００１６】
本発明によれば、開封後も容器本体を容易に閉塞することができ且つ内容物の保存性が高い蓋付きカップ容器を提供することができる。
【図面の簡単な説明】
【００１７】
【図１】本発明の一実施の形態である蓋付きカップ容器の半断面図である。
【図２】図１に示す容器本体の平面図である。
【図３】図２におけるＡ−Ａ線に沿う断面図である。
【図４】図２に示す容器本体のスタック状態を示す説明図である。
【図５】図１に示す中蓋の平面図である。
【図６】図５におけるＢ−Ｂ線に沿う断面図である。
【図７】中蓋の容器本体への保持構造を示す断面図である。
【図８】変形例の蓋付きカップ容器における固着部の詳細を示す断面図である。
【図９】変形例の蓋付きカップ容器における他の固着部の詳細を示す断面図である。
【発明を実施するための形態】
【００１８】
以下、図面を参照して本発明をより具体的に例示説明する。
【００１９】
図１に示す本発明の一実施の形態である蓋付きカップ容器１は、例えばスナック菓子やカップスープなどの食品等の、酸化による劣化を生じ易い内容物を収容する用途に用いられるものである。蓋付きカップ容器１は、容器本体１０、中蓋２０及び外蓋３０を有している。
【００２０】
容器本体１０は、例えばポリプロピレン（ＰＰ）を主材とした合成樹脂製となっており、図２、図３に示すように、円形の薄板状に形成された底壁１１と、この底壁１１の周縁に下端側において一体に連なる筒状の周壁１２とを備えたカップ形状となっている。容器本体１０は、例えばインジェクション成形により形成されたものとすることができるが、シート成形により形成されたものとすることもできる。
【００２１】
周壁１２の図３における上側端部は開放されて容器本体１０の開口１３となっており、周壁１２の内側は内容物の収容空間となっている。周壁１２は、底壁１１から容器本体１０の開口１３に向けて徐々に外径が拡大するように広がるテーパー状に形成されており、その上端には径方向外側に向けて延びるフランジ１４が一体に設けられている。また、フランジ１４の内周側は下方に向けて段差状に凹んでおり、当該凹んだ部分の上側に向く面は段差面１５となっている。さらに、周壁１２の下端側の一部は底壁１１よりも下方に突出して略円筒状の脚部１６を構成している。
【００２２】
周壁１２の外周面は、必要に応じて、シュリンクラベルを装着し、あるいは周壁１２の外周面にインモールド成形（ＩＭＬ：Insert Molding Laminate）等の手法を用いてラベルを一体的に設けることで、加飾を施した構成とすることができる。
【００２３】
周壁１２の内周面の底壁１１の上側に隣接した部位には、当該内周面から径方向内側に向けて突出する環状のスタック用突起１７が一体に設けられている。スタック用突起１７が設けられることにより、図４に示すように、複数の容器本体１０をスタックした（積み重ねた）ときに、内側（上側）となる容器本体１０の脚部１６が、外側（下側）の容器本体１０に設けられたスタック用突起１７に当接して、内側の容器本体１０の周壁１２が外側の容器本体１０の周壁１２に強く嵌合することが防止される。これにより、多数の容器本体１０を、周壁１２の外周面に設けられた加飾等を傷つけることなくスタックさせることができる。
【００２４】
容器本体１０は、主材であるポリプロピレンの層の間に、例えばＥＶＯＨ層（エチレン−ビニルアルコール共重合樹脂層）などの酸素に対するバリア性を有する層を備えることにより酸素バリア性を有した構成となっている。なお、容器本体１０は、ＥＶＯＨ層に限らず、酸素バリア性を有する他の材質の層を設けることで酸素バリア性を有するように構成することもできる。
【００２５】
図１に示すように、中蓋２０は容器本体１０の内側に配置されて容器本体１０の開口１３を閉塞している。すなわち、蓋付きカップ容器１は、容器本体１０の内側に中蓋２０を備える複合容器となっている。
【００２６】
図５、図６に示すように、中蓋２０は、合成樹脂材料をシート成形することにより、円筒壁２１と底壁２２とを有する有底円筒状に形成され、その内側は収容部２３となっている。収容部２３には、容器本体１０に収容される内容物とは別の内容物を収容することができる。例えば、容器本体１０にスナック菓子を収容した場合には、中蓋２０の収容部２３に当該スナック菓子に塗布するクリームや粉砂糖等の塗布物を収容することができる。また、容器本体１０に湯で戻される乾燥麺を収容した場合には、中蓋２０の収容部２３に、湯に混ぜる粉末スープや乾燥具材などを収容することができる。さらに、蓋付きカップ容器１に互いに混合して使用される異なる２種類の薬剤を収容する場合には、一方の薬剤を容器本体１０に収容し、他方の薬剤を中蓋２０の収容部２３に収容することもできる。
【００２７】
底壁２２の中央部には、当該底壁２２から上方に向けて突出する摘み部２４が一体に設けられている。図示する場合では、摘み部２４は、底壁２２の中央部を上方に折り曲げて形成されている。摘み部２４の底壁２２からの突出高さは、円筒壁２１の底壁２２からの突出高さよりも低くなっており、すなわち、摘み部２４は収容部２３の内部に位置している。
【００２８】
円筒壁２１の上端すなわち中蓋２０の開口端には、当該開口端から径方向外側に向けて延びるフランジ部２５が一体に設けられている。
【００２９】
中蓋２０は、酸素吸収性を有する材料すなわち脱酸素剤が混合された合成樹脂材料によって形成されることで、酸素吸収性を有する構成となっている。中蓋２０が酸素吸収性を有することで、容器本体１０の開口１３を中蓋２０により閉塞した状態において、容器本体１０の内部の酸素を中蓋２０によって吸収することができる。
【００３０】
中蓋２０に酸素吸収性を付与するために合成樹脂材料に混合される材料すなわち脱酸素剤としては、例えば、鉄系やチタン系などの無機系の脱酸素剤や、アスコルビン酸やコバルト系触媒を有したナイロンＭＸＤ６などを用いた有機系の脱酸素剤などの、既存の製品を用いることができる。
【００３１】
中蓋２０は、上記した脱酸素剤を混合した合成樹脂材料をシート成形して形成されたものとすることができる。これにより、中蓋２０を、適度の肉厚を有する構成として、脱酸素剤が有する酸素吸収性を効果的に生じさせることができる。
【００３２】
図７に示すように、中蓋２０は、フランジ部２５が容器本体１０の段差面１５に配置されることにより、容器本体１０の内側に当該容器本体１０に対して位置決めされた状態で装着される。また、容器本体１０の段差面１５とフランジ１４との間の円筒壁部分の内周面には係止突起１８が一体に設けられており、フランジ部２５は係止突起１８にアンダーカット係合して段差面１５に配置されるようになっている。これにより、中蓋２０は、フランジ部２５が、係止突起１８と段差面１５との間に係止されることで、容器本体１０に対して所定位置に保持されるとともに、フランジ部２５が係止突起１８を乗り越え可能であることで容器本体１０に対して着脱自在となっている。
【００３３】
詳細は図示しないが、本実施の形態においては、係止突起１８は、段差面１５とフランジ１４との間の円筒壁部分の内周面に、それぞれ当該内周面の軸心を中心とした６０度の範囲の長さで周方向に等間隔に並べて設けられている。なお、係止突起１８は、フランジ部２５を着脱自在にアンダーカット係合させることができれば、例えば係止突起１８を段差面１５とフランジ１４との間の円筒壁部分の内周面の全周に亘って設けるなど、その長さないし形状等は種々変更可能である。
【００３４】
外蓋３０は、開口１３を覆うことが可能な形状を有するとともに酸素バリア性を有するシート状に形成されており、図１に示すように、容器本体１０の開口端すなわちフランジ１４の上面に、接着ないし融着等の手段によって固着されて容器本体１０の開口１３を密封している。すなわち、容器本体１０の内部に内容物を充填し、中蓋２０を装着した後、フランジ１４に外蓋３０を固着することで、容器本体１０の開口１３が密封される。
【００３５】
外蓋３０としては、例えば紙や樹脂材を基材とし、これにアルミ層を設けた構成のものや、アルミシート等を用いることができる。
【００３６】
図１に二点鎖線で示すように、外蓋３０を保護するために、合成樹脂材料をシート成形してキャップ状に形成されたオーバーキャップ３１を容器本体１０のフランジ１４に着脱自在に装着して、当該オーバーキャップ３１により外蓋３０を覆う構成とすることもできる。
【００３７】
このような構成を有する蓋付きカップ容器１は、容器本体１０及びこれを密封する外蓋３０が酸素バリア性を有しており、また、容器本体１０の内部に装着された中蓋２０により当該容器本体１０内の酸素を吸収することができるので、容器本体１０の内部に内容物を収容し、外蓋３０が容器本体１０の開口端に固着されている密封状態において、容器本体１０の内部に充填されている内容物の酸化を抑制することができる。これにより、流通時等において内容物が劣化することを抑制することができる。
【００３８】
一方、外蓋３０を容器本体１０から引き剥がして容器本体１０を開封した後には、中蓋２０を容器本体１０から取り外すことにより、容器本体１０に収容されている内容物を取り出すことができる。
【００３９】
また、容器本体１０から内容物を取り出した後には、再度、中蓋２０を容器本体１０に装着することで、容器本体１０の開口１３を閉塞することができる。このとき、中蓋２０のフランジ部２５が係止突起１８にアンダーカット係合することで、中蓋２０は容器本体１０に保持されるので、中蓋２０により容器本体１０を閉じた状態で蓋付きカップ容器１を持ち運んでも、中蓋２０が容器本体１０から容易に離脱することはない。
【００４０】
このように、外蓋３０を取り外して容器本体１０を開封した後においても、中蓋２０を再度、容器本体１０に装着することで開口１３を容易に閉塞することができるので、中蓋２０により容器本体１０に収容されている内容物が外部にこぼれ出すことを防止して、開封後の蓋付きカップ容器１の持ち運びを容易にすることができる。
【００４１】
また、蓋付きカップ容器１は、容器本体１０が酸素バリア性を有するとともに中蓋２０が酸素吸収性を有する構成となっているので、外蓋３０を取り外した開封後においても、容器本体１０の開口１３を中蓋２０によって閉塞することで、当該容器本体１０の内部への酸素（空気）の侵入を抑制しつつ、当該容器本体１０の内部の酸素を中蓋２０により吸収して、容器本体１０に収容されている内容物の酸化を効果的に抑制することができる。
【００４２】
このように、外蓋３０を取り外して容器本体１０を開封した後においても、中蓋２０を再度、容器本体１０に装着することで、内容物の酸化を効果的に抑制することができる。
【００４３】
また、従来の蓋付きカップ容器では、容器本体の内部に、内容物とともに袋詰めされた脱酸素剤を収容して内容物の酸化を抑制することが行われているが、本実施の形態の蓋付きカップ容器１では、袋詰めされた脱酸素剤を容器本体１０に収容することなく、中蓋２０を設けることで内容物の酸化を効果的に抑制することができるので、脱酸素剤の誤飲等防止することができる。さらに、従来の蓋付きカップ容器では、酸素バリア性を有する構成とされた容器本体１０や外蓋３０を、さらにその内面に脱酸素剤を塗布し、あるいは脱酸素剤を練り込んだ構成とすることで、内容物の酸化を抑制することが行われているが、本実施の形態の蓋付きカップ容器１では、酸素バリア性を有する構成とされた容器本体１０や外蓋３０にさらなる加工を施すことなく、中蓋２０を設けることで内容物の酸化を効果的に抑制することができるので、容器本体１０や外蓋３０の構成を簡素化することができる。
【００４４】
さらに、中蓋２０に摘み部２４を設けているので、外蓋３０を取り外した後の中蓋２０の容器本体１０に対する着脱作業を容易にすることができる。
【００４５】
さらに、中蓋２０を、そのフランジ部２５を係止突起１８にアンダーカット係合させて容器本体１０に着脱自在に保持させる構成としたので、中蓋２０を容器本体１０に対して着脱する作業をさらに容易にすることができるとともに、中蓋２０を着脱可能に保持するための構成を簡素化して、蓋付きカップ容器１のコストを低減することができる。
【００４６】
図８は変形例の蓋付きカップ容器１における固着部の詳細を示す断面図であり、図９は変形例の蓋付きカップ容器１における他の固着部の詳細を示す断面図である。なお、図８、図９において、前述した部材に対応する部材には、同一の符号を付してある。
【００４７】
蓋付きカップ容器１は、外蓋３０が設けられない構成とすることもできる。図８、図９に示す変形例の蓋付きカップ容器１では、外蓋３０を設けることなく、中蓋２０と容器本体１０との間に固着部４０を設け、この固着部４０によって中蓋２０を容器本体１０に固着させることで、外蓋３０を用いることなく、容器本体１０の開口１３を密封するようにしている。
【００４８】
図８に示す変形例の蓋付きカップ容器１では、固着部４０は、中蓋２０のフランジ部２５を容器本体１０の段差面１５に融着した融着部分として構成されている。この固着部４０は、中蓋２０のフランジ部２５と容器本体１０の段差面１５との間に全周に亘って設けられている。これにより、中蓋２０のフランジ部２５が全周に亘って容器本体１０の段差面１５に固着され、中蓋２０と容器本体１０との隙間が封じられて容器本体１０の開口１３が中蓋２０によって密封される。
【００４９】
この場合、固着部４０は、中蓋２０のフランジ部２５を容器本体１０の段差面１５に融着した融着部分として構成するに限らず、中蓋２０のフランジ部２５を容器本体１０の段差面１５に接着剤等を用いて接着した接着部分として構成することもできる。また、固着部４０は、中蓋２０のフランジ部２５を容器本体１０の段差面１５に融着した融着部分として構成するに限らず、中蓋２０のフランジ部２５の径方向外側を向く先端面部分を容器本体１０の段差面１５とフランジ１４との間の円筒状壁部の内周面に融着した融着部分として構成とすることもできる。
【００５０】
一方、図９に示す変形例の蓋付きカップ容器１では、固着部４０は、容器本体１０の開口端であるフランジ１４の上面と中蓋２０のフランジ部２５の天面とに跨る環状に形成されたシール材として構成されている。この場合、フランジ部２５は、円筒壁２１の上端に連なる基部と径方向外側の先端との間で下方に向けてクランク状に曲がる形状を有し、フランジ部２５の天面は、円筒壁２１の上端に連なる基部の側に設けられている。なお、フランジ部２５の天面の高さは、フランジ１４の上面の高さと略同一である。そして、環状のシール材として構成された固着部４０は、容器本体１０のフランジ１４の上面と中蓋２０のフランジ部２５の上面とに全周に亘って貼り付けられている。これにより、中蓋２０のフランジ部２５が全周に亘って固着部４０を介して容器本体１０に固着され、中蓋２０と容器本体１０との隙間が固着部４０により封じられて容器本体１０の開口１３が中蓋２０によって密封される。
【００５１】
図８、図９に示した変形例の蓋付きカップ容器１においては、外蓋３０が設けられないので、中蓋２０を容器本体１０に対して持ち上げることにより、固着部４０を破断ないし剥離させる等して、容器本体１０の開口１３を容易に開封することができる。また、開封後は、中蓋２０は容器本体１０に対して着脱可能となる。よって、上記変形例の蓋付きカップ容器１においても、図１に示す蓋付きカップ容器１と同様の上記効果を得ることができる。
【００５２】
本発明は前記実施の形態に限定されるものではなく、その要旨を逸脱しない範囲で種々変更可能であることはいうまでもない。
【００５３】
例えば、前記実施の形態においては、容器本体１０はポリプロピレン製とされているが、これに限らず、例えばポリエチレンテレフタレートやポリエチレン、ポリエステル等の他の合成樹脂材料を主材として構成することもできる。
【００５４】
また、前記実施の形態においては、蓋付きカップ容器１を、スナック菓子を収容する用途に用いられるものとしているが、これに限らず、酸化による劣化を生じ易い他の内容物を収容する用途に用いることもできる。
【符号の説明】
【００５５】
１    蓋付きカップ容器
１０    容器本体
１１    底壁
１２    周壁
１３    開口
１４    フランジ
１５    段差面
１６    脚部
１７    スタック用突起
１８    係止突起
２０    中蓋
２１    円筒壁
２２    底壁
２３    収容部
２４    摘み部
２５    フランジ部
３０    外蓋
３１    オーバーキャップ
４０    固着部
【図１】
2018172169.tif 000003
【図２】
2018172169.tif 000004
【図３】
2018172169.tif 000005
【図４】
2018172169.tif 000006
【図５】
2018172169.tif 000007
【図６】
2018172169.tif 000008
【図７】
2018172169.tif 000009
【図８】
2018172169.tif 000010
【図９】
2018172169.tif 000011